(57)【要約】【課題】簡単な構造のもとで高い冷却性能を付与することができる飲料入り容器の簡易冷却器の提供。【解決手段】容器本体１２内を隔壁１３を介して仕切って一方を飲料入り容器１をその長さ方向に沿わせて収納する容器収納部１４とし、他方を飲料入り容器１に回転力を付与する駆動源収納部３２とし、容器収納部１４は、飲料入り容器１に当接し、かつ、その軸端部１７ａを駆動源収納部３２内に突出させて軸支される従動回転軸体１６と、飲料入り容器１を下支えする従動回転体２１とを備え、駆動源収納部３２内には、スイッチ５２で回転制御されるモータ３６と、該モータ３６の回転３７と従動回転軸体１６の軸端部１７ａとの間に介在させて従動回転軸体１６を強制回転させる回転力伝達機構３８とを配設した。【選択図】図１
0003135814.tif 000002
【実用新案登録請求の範囲】
【請求項１】
容器本体内を隔壁を介して仕切ってその一方を略円筒形状を呈する飲料入り容器をその長さ方向に沿わせて収納する容器収納部とし、他方を前記飲料入り容器に回転力を付与するための駆動源収納部とするとともに、
氷が収容される前記容器収納部は、前記飲料入り容器の長さ方向に沿って当接し、かつ、その軸端部を前記駆動源収納部内に突出させて軸支される従動回転軸体と、前記飲料入り容器を回転自在に下支えする従動回転体とをその内周面に備え、
前記駆動源収納部内には、スイッチのオン・オフにより回転制御されるモータと、該モータの回転軸と従動回転軸体の前記軸端部との間に介在させて前記従動回転軸を強制回転させる回転力伝達機構とを配設したことを特徴とする飲料入り容器の簡易冷却器。
【請求項２】
前記容器本体には、その開口面を開閉自在に覆うカバー体を具備させた請求項１に記載の飲料入り容器の簡易冷却器。
【請求項３】
容器本体における前記容器収納部には、氷を増量するためのアジャスターをその上面開口部側を介して着脱自在に配設した請求項１または２に記載の飲料入り容器の簡易冷却器。
【考案の詳細な説明】
【技術分野】
【０００１】
本考案は、少なくとも１本の缶入り飲料などのような容器入り飲料を短時間で冷却することができる飲料入り容器の簡易冷却器に関する技術である。
【背景技術】
【０００２】
通常、缶入り飲料などのような飲料入り容器は、冷蔵庫やクーラーボックスなどに入れて冷却した上で、飲用に供せられている。また、１本の缶入り飲料を短時間で冷却できる冷却器も、例えば下記特許文献１に提案されている。
【特許文献１】特開平２００１−９１１１９号公報
【０００３】
上記特許文献１に開示されている冷却器は、容器内の下方に氷収納部を設け、その上方に缶入り飲料を収納し、電池を電源とするモータで駆動回転させる駆動ローラを缶入り飲料における缶容器の側面側に接触させて従動回転させながら冷却することができるようになっている。
【考案の開示】
【考案が解決しようとする課題】
【０００４】
しかし、上記特許文献１に開示されている冷却器は、電池を電源とするモータと駆動ローラとが容器内には配設されてはおらず、外側にユニットとして突設されていることから、該ユニットが他部材に当接して壊れ易かったり、コンパクトな外観印象を指向する上での阻害要因となる不都合があった。
【０００５】
また、上記特許文献１の冷却器は、構造が複雑であることからコスト高となって、製品を安価には提供できない問題もあった。
【０００６】
本考案は、従来技術にみられた上記課題に鑑み、構造を簡素化して全体をコンパクト化するなかで、冷却性能を高めることができる飲料入り容器の簡易冷却器を提供することを目的とする。
【課題を解決するための手段】
【０００７】
本考案は、上記目的を達成すべくなされたものであり、容器本体内を隔壁を介して仕切ってその一方を略円筒形状を呈する飲料入り容器をその長さ方向に沿わせて収納する容器収納部とし、他方を前記飲料入り容器に回転力を付与するための駆動源収納部とするとともに、氷が収容される前記容器収納部は、前記飲料入り容器の長さ方向に沿って当接し、かつ、その軸端部を前記駆動源収納部内に突出させて軸支される従動回転軸体と、前記飲料入り容器を回転自在に下支えする従動回転体とをその内周面に備え、前記駆動源収納部内には、スイッチのオン・オフにより回転制御されるモータと、該モータの回転軸と従動回転軸体の前記軸端部との間に介在させて前記従動回転軸を強制回転させる回転力伝達機構とを配設したことを最も主要な特徴とする。
【０００８】
この場合、前記容器本体には、その開口面を開閉自在に覆うカバー体を具備させることもできる。また、容器本体における前記容器収納部には、氷を増量するためのアジャスターをその上面開口部側を介して着脱自在に配設することもできる。
【考案の効果】
【０００９】
本考案によれば、氷を入れた容器収納部内で飲料入り容器を円滑に回転させることができるので、飲料入り容器を迅速に冷却することできるほか、構造を簡素化することで全体形状のコンパクト化と製品コストの低廉化とを実現することができる。
【考案を実施するための最良の形態】
【００１０】
図１は、本考案の一例についての分解斜視図であり、簡易冷却器１１の全体は、隔壁１３を介して仕切られた容器収納部１４と駆動源収納部３２とを備える容器本体１２と、該容器本体１２の開口面１２ａを覆うカバー体６２とで構成されている。
【００１１】
容器本体１２は、図５に示すように略円筒形状を呈する飲料入り容器１をその長さ方向に沿わせて所要量の氷３と共に収納すべく、その内周面１５が略半円形を呈して形成された容器収納部１４と、該容器収納部１４と隔壁１３を介して隣り合い、モータ３６や必要な回転力伝達機構３８を含む所要の部材が収納された駆動源収納部３２とで形成されている。なお、容器本体１２は図２（ｂ）に示すように卓上に安定的に載置させておくための支脚片５３を備えている。
【００１２】
このうち、容器収納部１４は、飲料入り容器１の長さ方向に沿って当接し、かつ、その軸端部１７ａを駆動源収納部３２内に突出させて軸支される従動回転軸体１６と、飲料入り容器１を回転自在に下支えする従動回転体２１とをその内周面１５に備えている。
【００１３】
この場合、従動回転軸体１６は、容器収納部１４の長さ方向に添設される所要長の軸本体部１７と、該軸本体部１７にあって容器収納部１４内に位置する少なくとも２箇所にて軸固定された合成樹脂材などからなる円柱部１８と、該円柱部１８の周方向に刻入された溝部１８ａを介して支持させたシリコーンゴムなどの摩擦性弾性材からなるリング部１９と、軸本体部１７を回転自在に軸支すべく容器収納部１４の内周面１５の所定の少なくとも２箇所に配設された各軸受け片２０と、軸本体部１７の軸端部１７ａに軸固定された従動歯車２６とを備えて形成されている。
【００１４】
この場合、従動歯車２６は、駆動源収納部３２内に容器収納部１４側から氷３が溶けてなる水が進入するのを阻止するために、隔壁１３との間で水密性を確保することができるシール部２７と、軸固定された円柱部２８との間に位置する軸端部１７ａに軸固定されている。
【００１５】
また、従動回転体２１は、支軸２３に軸固定された合成樹脂材などからなる円柱部２２と、該円柱部２２の周方向に刻入された溝部２２ａを介して支持させたシリコーンゴムなどの摩擦性弾性材からなるリング部２４と、支軸２３を介してリング部２４側を回転自在に軸支すべく、各一対の軸受け片２５ａ，２５ｂを内周面１５の所定の２箇所に配設されてなる軸受け部２５とで形成されている。
【００１６】
一方、駆動源収納部３２は、容器収納部１４との間に中央部に半円形を呈する切欠部１３ａを有する隔壁１３を介して形成されるものであり、その内部空間３４ａには、モータ３５とその回転力伝達機構３８とが配置される駆動ユニット３３と、モータ３６の電源である電池４６がスイッチ４７を介してオン・オフ制御自在に配置される電源ユニット４５とが配設されている。
【００１７】
このうち、駆動ユニット３３は、相互の組み合わせを自在に形成された一側ケーシング部３４と、他側ケーシング部３５とで確保される空間内にモータ３６とその回転力伝達機構３８とを配置することで形成される。
【００１８】
この場合、回転力伝達機構３８は、モータ３６の回転軸３７に軸固定されたウォームギア３９と、第１小歯車４１を備えてウォームギア３９と噛合するウォームホイール４０と、第２小歯車４３を備えて第１小歯車４１と噛合する第１大歯車４２と、第２小歯車４３と噛合する第２大歯車４４とで構成されている。
【００１９】
また、回転力伝達機構３８を構成している第２大歯車４４は、軸本体部１７の軸端部１７ａに軸固定された従動歯車２６と噛合させることで、軸本体部１７を強制回転させることができるようになっている。
【００２０】
電池ユニット４５は、組み合わされた一側ケーシング部３４と他側ケーシング部３５とを収容して容器収納部１４の隔壁１３側に一体的に取り付けて駆動源収納部３２を兼用して形成される。
【００２１】
電池ユニット４５は、駆動ユニット３３を収容して容器収納部１４の隔壁１３側に一体的に配設されるケース部４６と、該ケース部４６の外側に設けられた電池ボックス４７と、該電池ボックス４７の開口縁部に形成される図示しない溝部内に配置されて水密性を確保するシリコーンゴムなどからなる弾性リング４８と、該弾性リング４８を介在させて電池ボックス４７の開口縁部側を着脱自在に覆って電池５０の交換ができるように配設される蓋部４９とを備えて形成されている。
【００２２】
また、電池ボックス４７内に収容されている電池５０は、モータ３６の電源として用いられるものであり、回路中に介在させた接点部５１の接離を操作するスイッチ５２によりオン・オフ操作できるようになっている。
【００２３】
一方、容器本体１２の開口面１２ａを覆う透明なカバー本体６２は、容器本体１２の開口面１２ａ近傍に設けた一対の一側ヒンジ部２９，２９相互間に、図４に示すようにカバー本体６２の対応部位に設けた他側ヒンジ部６３を配置した上で、挿通軸６４を介して一体化することで開閉自在に取り付けられている。
【００２４】
また、容器本体１２における容器収納部１４内に氷２を増量して収納する必要がある場合には、囲枠状に形成されたアジャスター６６を容器収納部１４の上面開口部１４ａ側を介して着脱自在に配設することができる。
【００２５】
この場合、アジャスター６６は、合成樹脂材を用いて容器収納部１４の上面開口部１４ａの面サイズに略対応させて形成されるものであり、上面開口部１４ａ内に差し込まれる差込み部６７と、飲料入り容器１の飲み口部２側を除く部位を覆う遮蔽板部６７と、容器収納部１４の長さ方向に沿わせて差込み部６７側から上方に延設された嵩上げ部６８とを備えて形成されている。
【００２６】
次に、上記構成からなる本考案の作用・効果を説明すれば、容器本体１２の容器収納部１４内には、予め所要量の氷３を入れた上で、１本の飲料入り容器１をその飲み口部２が隔壁１３の切欠部１３ａ内に位置するようにして収容した上で、開口面１２ａをカバー本体６２で施蓋する。
【００２７】
モータ３６は、スイッチ５２を押し込んで接点部５１をオンとすることで回転駆動させることができるので、その回転軸３７から回転出力を得ることができる。該回転軸３７と従動回転軸体１６を構成している軸本体部１７の軸端部１７ａが備える従動歯車２６との間には、回転力伝達機構３８が介在配置されているので、従動回転軸体１６側には回転力が伝達されて従動回転するに至る。
【００２８】
この場合、従動回転軸体１６には、図１に示す歯車群で構成されている回転力伝達機構３８を介して回転数は少ないものの強い回転力が伝達される結果、容器収納部１４内の飲料入り容器１の周面に当接する各リング部１９を介して飲料入り容器１も円滑にその回転を始めることになる。
【００２９】
また、飲料入り容器１は、その周面が従動回転体２１を構成している各リング部２４とも当接しているので、これらのリング部２４を介して下支えされながら安定的に持続回転させることができる。
【００３０】
しかも、容器収納部１４内に図３に示すアジャスター６６を図２（ｂ）に示すようにして配置してある場合には、氷３をより増量して収容させることができるので、冷却効果もそれだけ高めてやることができる。
【００３１】
かくして、飲料入り容器１は、回転を繰り返すことでその全周にわたり氷３と接触させることができるので、容器内の飲料も例えば２〜３分の間に急速に冷却されるに至る。
【００３２】
このようにして飲料入り容器１が冷却された後は、スイッチ５２を再度押し込んで接点部５１をオフとすることでモータ３６を停止させ、カバー本体６２を開蓋して飲料入り容器１を取り出し、冷却された飲料を飲用することができる。
【００３３】
また、その使用を終えた後は、容器収納部１４内の氷３や溶けた水を捨て去り、中を乾かすことで直ちに保管できる状態とすることができる。
【００３４】
さらに、簡易冷却器１１自体は、単なる筒状形態を呈するのみで、外部に突出物を有していないことから、他の部材と接触して壊れたりする要因を少なくしつつ、その全体形状のコンパクト化を実現することができる。
【００３５】
また、簡易冷却器１１は、その全体構造が簡素化されているので、故障の少ない製品コストの低廉な製品として提供することができることになる。
【００３６】
以上は、図示例に基づいて本考案を説明したものであり、その具体的な内容は、これに限定されるものではない。例えば、容器収納部１４は、飲料入り容器１として缶ビールのような缶入り飲料を複数本収納して急速冷却できるサイズを付与して形成することもできる。また、回転力伝達機構３８は、図１に示す歯車群以外の適宜の歯車構成のもとで形成することもできる。さらに、簡易冷却器１１自体は、カバー本体６２を具備させることなく形成することもできる。また、モータ３６は、内蔵電池を用いずに外部電源を用いて駆動させるようにしてもよい。
【図面の簡単な説明】
【００３７】
【図１】本考案の一例についての分解斜視図。
【図２】本考案における容器本体側の配置関係を示す説明図であり、そのの（ａ）は平面形状を、（ｂ）は（ａ）におけるＡ−Ａ線方向での断面形状をそれぞれ示す。
【図３】本考案の他例として用いられるアジャスターの全体斜視図。
【図４】図１に示す本考案の一例と飲料入り容器との配置関係を開蓋状態のもとで示す要部斜視図。
【図５】図１に示す本考案の一例を用いて冷却時における状態を示す全体斜視図。
【符号の説明】
【００３８】
１  飲料入り容器
２  飲み口部
３  氷
１１  簡易冷却器
１２  容器本体
１２ａ  開口面
１３  隔壁
１３ａ  切欠部
１４  容器収納部
１５  内周面
１６  従動回転軸体
１７  軸本体部
１７ａ  軸端部
１８  円柱部
１８ａ  溝部
１９  リング部
２０  軸受け片
２１  従動回転体
２２  円柱部
２２ａ  溝部
２３  支軸
２４  リング部
２５  軸受け部
２５ａ，２５ｂ軸  受け片
２６  従動歯車
２７  シール部
２８  円柱部
２９  一側ヒンジ部
３２  駆動源収納部
３３  駆動ユニット
３４  一側ケーシング部
３５  他側ケーシング部
３６  モータ
３７  回転軸
３８  回転力伝達機構
３９  ウォームギア
４０  ウォームホイール
４１  第１小歯車
４２  第１大歯車
４３  第２小歯車
４４  第２大歯車
４５  電池ユニット
４６  ケース部
４７  電池ボックス
４８  弾性リング
４９  蓋部
５０  電池
５１  接点部
５２  スイッチ
５３  支脚片
６２  カバー本体
６３  他側ヒンジ部
６４  挿通軸
６６  アジャスター
６７  差込み部
６８  遮蔽部
６９  嵩上げ部
【図１】
0003135814.tif 000003
【図２】
0003135814.tif 000004
【図３】
0003135814.tif 000005
【図４】
0003135814.tif 000006
【図５】
0003135814.tif 000007